(57)【要約】【課題】ロフト角が３７度以下のアイアン型ゴルフクラブヘッドにおいて、ボールのバックスピン量を低減させて飛距離を増大させる。【解決手段】ボールを打球するフェース２を有するロフト角が３７度以下のアイアン型ゴルフクラブヘッド１である。前記フェース２に、トウ・ヒール方向にのびかつ深さが０．２００〜０．５０８mmである複数本のフェース溝８と、深さが０．００５〜０．０２５mmである複数本の補助溝９とが設けられたことを特徴とする。【選択図】図１
2008005994.tif 000002
【特許請求の範囲】
【請求項１】
ボールを打球するフェースを有し、かつ、ロフト角が３７度以下のアイアン型ゴルフクラブヘッドであって、
前記フェースに、トウ・ヒール方向にのびかつ深さが０．２００〜０．５０８mmである複数本のフェース溝と、
深さが０．００５〜０．０２５mmである複数本の補助溝とが設けられたことを特徴とするアイアン型ゴルフクラブヘッド。
【請求項２】
前記フェース溝の深さｄ１と前記補助溝の深さｄ２との比（ｄ２／ｄ１）が０．０１０〜０．１３である請求項１記載のアイアン型ゴルフクラブヘッド。
【請求項３】
前記補助溝の配設間隔は、前記フェース溝の配設間隔よりも小さい請求項１又は２記載のアイアン型ゴルフクラブヘッド。
【請求項４】
前記補助溝は、前記フェース溝と交わる向きにのびる部分を含むとともに、
該フェース溝と前記補助溝との交わり角度は、フェースのトウ・ヒール方向の中心位置よりもトウ側又はヒール側で大きい請求項３記載のアイアン型ゴルフクラブヘッド。
【請求項５】
前記補助溝は、フェースの中心位置からトウ・ヒール方向に５mm以内の領域に中心を有する円弧状である請求項１乃至４のいずれかに記載のアイアン型ゴルフクラブヘッド。
【請求項６】
前記補助溝の中心は、半径５mmの円内に設けられる請求項５記載のアイアン型ゴルフクラブヘッド。
【発明の詳細な説明】
【技術分野】
【０００１】
本発明は、ロフト角が３７度以下のアイアン型ゴルフクラブヘッドであって、詳しくはボールのバックスピン量を低減させることにより打球の飛距離を増大させ得るアイアン型ゴルフクラブヘッドに関する。
【背景技術】
【０００２】
アイアン型ゴルフクラブは、主にグリーンを狙うクラブとして利用されるため、打球の方向性が重要である。しかし、いわゆるロングアイアン及びミドルアイアンと呼ばれるロフト角が３７度以下のアイアン型ゴルフクラブには、ある程度の飛距離性能が求められる。飛距離の向上を目的としたアイアン型ゴルフクラブとして、例えば下記特許文献１が既に提案されている。
【０００３】
前記特許文献１では、ロングアイアン及びミドルアイアンのようにロフト角が小さいクラブヘッドにおいて、そのフェースの摩擦係数を大きくすることを提案している。これは、ロフト角が小さいアイアン型ゴルフクラブでは、フェースの摩擦係数が大きいほど、ボールのバックスピン量が低減し、その結果、飛距離の向上に有利な吹け上がりの少ない弾道が得られるという新規な知見に基づいている。
【０００４】
【特許文献１】特開２０００−２５４２５６号公報
【発明の開示】
【発明が解決しようとする課題】
【０００５】
前記特許文献１のクラブヘッドでは、フェースの摩擦係数を増加させるために、フェース溝の深さ等を大きくすること及び／又はフェースの十点平均粗さを大きくすること等が提案されている。
【０００６】
フェース溝の深さ等を大きくすることでフェースの摩擦係数を高めることは容易である。しかしながら、このようなクラブヘッドはゴルフ規則に違反するため公式競技に使用できない。また、打球時、ゴルフボールの表層（以下、単に「カバー」ということがある。）が削れるなど、ボールの傷つきが頻繁に生じる。
【０００７】
他方、フェース溝を無くし、フェースにショットブラスト等を施してその十点平均粗さを大きくする方法では、雨天時のプレーにおいて、フェースとボールとの十分な摩擦が得られ難く、飛距離に大きなバラツキが生じたり、ミスショットなどが生じやすくなる。
【０００８】
本発明は、以上のような実情に鑑み案出なされたもので、フェースに、トウ・ヒール方向にのびかつ深さが０．２００〜０．５０８mmであるフェース溝と、深さが０．００５〜０．０２５mmである補助溝とを設けることを基本として、ボールの傷付を抑制しつつバックスピン量を低減させ、ひいては飛距離を増大させ得るアイアン型ゴルフクラブヘッドを提供することを目的としている。
【課題を解決するための手段】
【０００９】
本発明のうち請求項１記載の発明は、ボールを打球するフェースを有し、かつ、ロフト角が３７度以下のアイアン型ゴルフクラブヘッドであって、前記フェースに、トウ・ヒール方向にのびかつ深さが０．２００〜０．５０８mmである複数本のフェース溝と、深さが０．００５〜０．０２５mmである複数本の補助溝とが設けられたことを特徴とする。
【００１０】
また請求項２記載の発明は、前記フェース溝の深さｄ１と前記補助溝の深さｄ２との比（ｄ２／ｄ１）が０．０１０〜０．１３である請求項１記載のアイアン型ゴルフクラブヘッドである。
【００１１】
また請求項３記載の発明は、前記補助溝の配設間隔は、前記フェース溝の配設間隔よりも小さい請求項１又は２記載のアイアン型ゴルフクラブヘッドである。
【００１２】
また請求項４記載の発明は、前記補助溝は、前記フェース溝と交わる向きにのびる部分を含むとともに、該フェース溝と前記補助溝との交わり角度は、フェースのトウ・ヒール方向の中心位置よりもトウ側又はヒール側で大きい請求項３記載のアイアン型ゴルフクラブヘッドである。
【００１３】
また請求項５記載の発明は、前記補助溝は、フェースの中心位置からトウ・ヒール方向に５mm以内の領域に中心を有する円弧状である請求項１乃至４のいずれかに記載のアイアン型ゴルフクラブヘッドである。
【００１４】
また請求項６記載の発明は、前記補助溝の中心は、半径５mmの円内に設けられる請求項５記載のアイアン型ゴルフクラブヘッドである。
【発明の効果】
【００１５】
本発明では、ロフト角が３７度以下のアイアン型ゴルフクラブヘッドのフェースに、トウ・ヒール方向にのびかつ深さが０．２００〜０．５０８mmであるフェース溝と、深さが０．００５〜０．０２５mmである補助溝とが設けられる。このような深さが限定されたフェース溝と補助溝との組み合わせは、フェースとボールの摩擦状態を最適化することにより、ボールの傷付きを防止しつつバックスピン量を低減させ打球の飛距離を向上させ得る。
【発明を実施するための最良の形態】
【００１６】
以下、本発明の実施の一形態を図面に基づき説明する。
図１は本実施形態のアイアン型ゴルフクラブヘッド（以下、単に「クラブヘッド」又は「ヘッド」ということがある。）１の正面図、図２はその断面図を示す。
【００１７】
前記クラブヘッド１は、フェース部１Ａと、このフェース部１Ａにヒール７を介して一体に設けられた略円筒状のホーゼル部１Ｂとを含み、かつ、ロフト角βが３７度以下で形成される。
【００１８】
前記フェース部１Ａは、ボールを打球する面であるフェース２と、このフェース２の上縁に連なりかつヘッド上面をなすトップ面３と、前記フェース２の下縁に連なりかつヘッド底面をなすソール面４と、該ソール面４と前記トップ面３との間をトウ側で継ぐトウ面５と、背面をなすバックフェース６とで区分される。なお、前記フェース２は、後述するフェース溝８及び補助溝９を除いて、実質的に単一の平面として形成される。
【００１９】
前記ホーゼル部１Ｂには、シャフト（図示せず）が装着されるシャフト差込孔ｈが設けられる。該シャフト差込孔ｈの軸中心線ＣＬは、後に装着されるシャフト軸中心線ＳＬと実質的に一致する。
【００２０】
また、図１及び２に示されるクラブヘッド１は、基準状態にある。該基準状態とは、前記軸中心線ＣＬを任意の垂直面ＶＰ内に配しかつ水平面ＨＰに対して規定のライ角αで傾けるとともに、フェース２を前記垂直面ＶＰに対してそのロフト角βで傾けて水平面ＨＰに置いた状態とする。そして、特に言及されていない場合、クラブヘッド１はこの基準状態にあるものとして説明される。
【００２１】
また、クラブヘッド１の各部の寸法や方向は、該基準状態でのものとする。例えば、クラブヘッド１に関し上、下（高、低）の方向は、前記基準状態での上、下（高、低）を意味し、前、後の方向は、フェース２側が前、その反対側であるバックフェース側が後をそれぞれ意味する。また、トウ・ヒール方向とは、前記水平面ＶＰと前記垂直面ＶＰとの交線と平行な方向とする。
【００２２】
本発明のクラブヘッド１は、打球の飛距離を増大させることを目的とするため、飛距離性能がより重視される番手、すなわち３７度以下のロフト角βを有するクラブヘッドが対象になる。ここで、前記ロフト角βは、図２に示されるように、垂直面ＶＰに対するフェース２の角度、即ちリアルロフト角とする。なお、クラブヘッドの製造メーカーにもよって異なる場合があるが、ロフト角が３７度以下のクラブヘッドには、概ね３〜７番アイアンが一般的に含まれ得る。
【００２３】
前記フェース２には、ボールとの摩擦を高めるために、フェース溝８及び補助溝９が設けられる。これにより、後述するように、ロングアイアン等において、打球のバックスピン量を低減し、吹け上がりの少ない飛距離に有利な弾道を得ることができる。
【００２４】
前記フェース溝８は、トウ・ヒール方向にのびるとともに、上下に間隔を設けて形成された複数本からなる。ここで、トウ・ヒール方向にのびるフェース溝８とは、肉眼でフェース溝８を観察したときにほぼトウ・ヒール方向に沿っていると理解される程度で十分である。即ち、ボールのインパクト時、クラブヘッド１が厳密に基準状態に戻らないことからも当然である。このような観点より、フェース溝８はトウ・ヒール方向に対して少なくとも±４度程度で傾斜している態様を含む。
【００２５】
前記フェース溝８は、フェース２のトウ側の端部分及びヒール７側の端部分を除いたフェース中央領域に設けられる。これにより、フェース溝８は、ゴルファに対して、好ましい打球エリアを視覚的に認識させるのに役立つ。また、図３に拡大して示されるように、本実施形態のフェース溝８は、横断面が略角溝状で形成され、実質的に同じ断面形状で長さ方向にのびている。ただし、フェース溝８は、スイートスポットを含む主要な打撃領域に設けられていれば、その配設位置などは特に限定されるものではない。
【００２６】
前記フェース溝８は、深さｄ１が０．２００〜０．５０８mmで形成される。該深さｄ１が、０．２００mm未満では、フェース２とボールとの間の摩擦を十分に高めることができない。特に、フェース溝８が設けられていない場合、雨天時にはボールとフェースとの間でスリップが生じるため、ミスショットの他、打球のバックスピン量を減らすことができない。このような観点より、前記フェース溝８の深さｄ１は、より好ましくは０．２５０mm以上、さらに好ましくは０．３００mm以上が望ましい。また、フェース溝８の深さｄ１が、０．５０８mmを超える場合、Ｒ＆Ａのゴルフ規則に違反する他、打球時にボールに傷が付きやすくなる。このような観点より、フェース溝８の深さｄ１は、好ましくは０．５００mm以下が望ましい。
【００２７】
前記フェース溝８の横断面形状、溝幅ＧＷ１及びフェース溝８、８の配設間隔ＳＷなどは、前記ゴルフ規則に違反しない範囲で定められるのが望ましい。
【００２８】
即ち、フェース溝８の横断面形状は、上述の角溝状に限定されるものではなく、例えば図４（Ａ）、（Ｂ）及び（Ｃ）に示されるように、溝底に向かって溝幅が小さくなる略台形状、Ｖ字状又は円弧状など左右対称のものであれば良い。また、図４に示されるように、フェース溝８の縁は、ゴルフ規則に基づき、半径が０．０２０インチ（０．５０８mm）以下の円形状に仕上げられるが、好ましくは０．１４〜０．１８mmの半径ｒにて面取りされたものが望ましい。
【００２９】
また、フェース溝８の溝幅ＧＷ１は、ゴルフ規則に基づき０．９０mm以下に設定されるが、フェース溝８による摩擦力を確実に発揮させるために、好ましくは０．５０mm以上、より好ましくは０．５５mm以上、さらに好ましくは０．６０mm以上が望ましい。なお、図４に示されるように、フェース溝８の溝幅ＧＷ１は、Ｒ＆Ａの内規「３０度測定法」により測定される。
【００３０】
また、フェース溝８は、一定の配設間隔ＳＷで設けられる。該配設間隔ＳＷは、ゴルフ規則に基づいて、溝幅ＧＷ１の３倍以上かつ０．０７５インチ（１．９０５mm）以上として定められるが、フェース溝８による摩擦力を確実に発揮させるために、好ましくは溝幅ＧＷ１の７倍以下、さらに好ましくは５倍以下で形成されるのが望ましい。ここで、フェース溝８の配設間隔ＳＷは、図３に示されるように、隣接するフェース溝８の前記外端８ｅ、８ｅ間の距離とする。
【００３１】
本実施形態の補助溝９は、前記フェース溝８が形成されている位置を除いて、フェース２の実質的全域に設けられる。これらの各補助溝９は、一定の配設間隔でかつ互いに交差することなく設けられる。
【００３２】
発明者らは種々の実験の結果、フェース２の摩擦係数を高めつつ打球時のボールの傷つきを減じるべく鋭意研究を行ったところ、フェース２に、ゴルフ規則を満足する深さの大きいフェース溝８と、これによりも深さが小さい補助溝９とを設けることを基本として、ボールとの摩擦を高めつつボールへの傷付を抑制しうることを知見した。
【００３３】
従来、フェース２にフェース溝だけが設けられたクラブヘッドでボールを打球した場合、ボールのカバーは、フェース溝８の内部に食い込むように大きく変形し、これをフェース溝８がせん断することでボールに大きな摩擦力が与えられる。しかし、上記せん断により、ボールのカバーの一部がフェース溝８によって完全に切断されると、この溝部分での摩擦力は大幅に小さくなる。
【００３４】
これに対して、本発明のように、フェース溝８と補助溝９とを併用したクラブヘッド１では、打球時にボールのカバーは、フェース溝８だけではなく、補助溝９にも食い込むように変形する。これにより、ボールとフェース２との接触面において、カバーの歪がフェース溝８及び補助溝９の双方に広く分散され、相対的なものとしてフェース溝８へのカバーの食い込み変形が低減する。これにより、フェース溝８によるカバーの切断が防止され、ひいてはこの部分での摩擦力の損失が抑制される。しかも、ボールは、補助溝９からも摩擦力を得ることができる。本発明のクラブヘッド１では、これらの相乗作用により、ボールの傷付を防止しつつ従来よりも大きな摩擦力が得られるものと推察される。
【００３５】
なお、ロフト角が小さいアイアン型ゴルフクラブヘッド（即ちロフト角が３７度以下のアイアン型ゴルフクラブヘッド）において、フェースのボールに対する摩擦係数が大きくなると、打球のバックスピン量が低減する作用については、前記特許文献１（特開２０００−２５４２５６号公報）に記載されているが、念のためここで述べる。
【００３６】
図８（ａ）〜（ｄ）には、ボールのインパクトの状態を時系列的に示ず。図８（ａ）に示されるように、インパクトされたボールＢは、変形してフェース面３に比較的広範囲で密着する。このときボールＢは、フェース面３から、該フェース面３に沿った方向の摩擦力Ｍと、フェース面３からの垂直な力とを受ける。従来ではこの摩擦力Ｍのみに着目し、摩擦力Ｍが大きいほどボールＢのバックスピン量が増大すると考えられていた。
【００３７】
しかし、ボールＢのインパクト中の過程を詳細に調べたところ、ボールＢのカバーＢ２は、該カバーＢ２を摩擦力Ｍの方向に引っ張るせん断力により、図８（ｂ）に示されるように、ボールのコア部分Ｂ１の位置Ｐ１、カバーＢ２の位置Ｐ２間を円周方向で相対的に位置ずれさせることが判明した。このようなコア部分Ｂ１とカバーＢ２の位置ずれは、インパクトされたボールＢの変形が元の状態へ復元を開始するにつれて元に戻ろうとする。この復元力により、コア部分Ｂ１とカバーＢ２との間には、前記とは逆方向のせん断力が作用して前記位置Ｐ１、Ｐ２は、位置ずれが無くなった中立位置（図８（ｃ））をさらに超えた位置でフェース面３から打ち出しされる。
【００３８】
この打ち出しの直前（図８（ｄ））では、コア部分Ｂ１には、バックスピンとは逆方向となる順方向の内部的なスピンが残存しており、この内部的なスピンが多いほどボールのバックスピン量が低下することが判明した。このような内部スピンの影響は、とりわけロフト角が３７゜以下のアイアンゴルフクラブにおいて顕著に現れるとともに、その強さはフェース２の摩擦係数と層間がある。したがって、ロフト角が３７度以下のクラブヘッドにおいて、フェース２の摩擦係数を大きくすると、前記内部スピンを増し、バックスピン量が低減する。
【００３９】
以上のような作用をより効果的に発揮させるために、補助溝９の深さｄ２は、０．００５〜０．０２５mmで形成される必要がある。該深さｄ２が０．００５mm未満の場合、打球時のボールのカバーに生じる歪を補助溝９に分散させることができず、ひいてはボールの傷付きを十分に抑制し得ない。このような観点より、補助溝９の深さｄ２は、より好ましくは０．０１０mm以上、さらに好ましくは０．０１５mm以上が望ましい。なお、前記深さｄ２が０．０２５mmを超えると、ゴルフ規則に違反する他、フェース溝８の深さｄ１との差が小さくなり、ボールのカバーの歪を分散する効果が低下し、上述の作用を発揮できなくなる。
【００４０】
さらに、上述の効果をより高めるために、フェース溝８の深さｄ１と補助溝９の深さｄ２との比（ｄ２／ｄ１）を規定することが望ましい。即ち、前記比（ｄ２／ｄ１）が大きくなると、フェース溝８の深さｄ１が相対的に小さくなり、ボールへの摩擦力が小さくなるおそれがあり、逆に前記比（ｄ２／ｄ１）が小さくなると、フェース溝８に対して補助溝９の深さｄ２が相対的に小さくなり、前述のボールのカバーの歪を分散させる効果が十分に発現し得ないおそれがある。このような観点より、前記比（ｄ２／ｄ１）は、好ましくは０．０１以上、より好ましくは０．０３以上、さらに好ましくは０．０５以上が望ましく、また上限に関しては、好ましくは０．１３以下、より好ましくは０．１０以下、さらに好ましくは０．８０以下が望ましい。
【００４１】
また、上述の効果をより高めるために、補助溝９の溝幅ＧＷ２は、好ましくは０．１０mm以上、より好ましくは０．１５mm以上、さらに好ましくは０．２０mm以上が望ましく、また上限に関しては、好ましくは０．５０mm以下、より好ましくは０．４５mm以下、さらに好ましくは０．４０mm以下が望ましい。該溝幅ＧＷ２が０．１０mm未満になると、ボールのカバーの歪を分散する効果が低下するおそれがあり、逆に溝幅ＧＷ２が０．５０mmを超える場合、ボールに傷が付きやすくなる。なお、補助溝９の縁に面取りがある場合、その溝幅ＧＷ２は、フェース溝８の溝幅ＧＷ１の場合と同様に、面取りの円弧の外端間の距離として測定される。
【００４２】
本実施形態において、補助溝９は横断面が略円弧状で形成されているが、フェース溝８の横断面形状と同様に、溝底に向かって溝幅が小さくなる略台形状、Ｖ字状、円弧状又はこれらの組み合わせなど種々の形状が採用できる。
【００４３】
また、補助溝９は、一定の配設間隔ＨＷで形成されるのが望ましく、とりわけ該配設間隔ＨＷは、フェース溝８の配設間隔ＳＷよりも小さいことが望ましい。これにより、より多くの補助溝９をボールとを安定して接触させ、前述の効果をさらに高めうる。このような観点より、補助溝９の配設間隔ＨＷは、フェース溝８の配設間隔ＳＷの２０％以下、より好ましくは１０％以下が望ましい。他方、補助溝９の配設間隔ＨＷが小さすぎても生産性が悪化するおそれがある。このような観点より、補助溝９の配設間隔ＨＷは、フェース溝８の配設間隔ＨＷの３％以上、より好ましくは５％以上が望ましい。なお、補助溝９の配設間隔ＨＷは、図３に示されるように、隣接する補助溝９、９で挟まれる部分の長さとする。
【００４４】
また、補助溝９は、好ましくはフェース溝８と交わる向きにのびる部分を含むことが望ましい。本実施形態の補助溝９は、フェースの中心位置ＦＣからトウ・ヒール方向に５mm以内の領域Ｙに中心Ｏを有してのびる円弧状をなし、実質的に同心円状に設けられる。このような補助溝９は、前記領域Ｙにおいて、フェース溝８との交わり角度が小さくなる一方、トウ側又はヒール側ではフェース溝８との交わり角度が大きくなる。
【００４５】
ここで、補助溝９が円弧状をなす場合、任意の位置におけるフェース溝８と補助溝９との交わり角度は、該位置で補助溝９に引いた接線とフェース溝８との交わり角度とする。また、前記フェースの中心位置ＦＣは、最もソール４側に設けられた最下方のフェース溝８Ｂのトウ・ヒール方向の長さの中間点８Ｂｃを通りかつフェース２と直角な垂直面で特定される位置とする。
【００４６】
例えばスイング中にフェース２のトウが下がるトウダウンや、ヒールが下がったヒールダウンの状態でボールをインパクトした場合であっても、フェース中心位置ＦＣ近傍では、補助溝９が実質的に水平にのびることにより、ボールにバックスピンを抑制しうる効果的な摩擦力を与えることができる。また、前記トウダウン又はヒールダウンの状態でフェース中心位置ＦＣよりもトウ側又はヒール側で打球された場合、当該打球位置では補助溝９のは水平方向に近づくため、前記と同様にボールにバックスピンを抑制しうる効果的な摩擦力を与え得る。
【００４７】
なお、前記円弧状の補助溝９において、中心Ｏがそれぞれ異なる場合、補助溝９の配設間隔の変化や補助溝９の干渉などが生じ、摩擦力が効率良くボールに伝達されないおそれがある。このような観点より、円弧状をなす全ての補助溝９の中心Ｏは、製造時の精度などを考慮し、好ましくは半径５mmの円内に設けられること、とりわけ本実施形態のように実質的に全ての補助溝９が共通する１つの中心Ｏを有することが特に望ましい。なお、円弧状の補助溝９は、同心円ではなく渦巻き状の螺旋状の態様を含むのは言うまでもない。  
【００４８】
また、フェース２において、全てのフェース溝８の長さの総和であるフェース溝合計長さＬｆは、特に限定されないが、小さすぎると、十分な摩擦力をボールに伝えることができず、ひいてはバックスピン量が増加するおそれがあり、また雨天時のプレー時にミスショットが生じやすくなる。逆に、フェース溝合計長さＬｆが大きくなると、ゴルフ規則に違反したり、フェース溝８の配置デザイン等が難しくなり生産性が悪化するおそれがある。このような観点より、前記フェース溝合計長さＬｆは、好ましくは２００mm以上、より好ましくは２５０mm以上、さらに好ましくは３００mm以上が望ましく、また上限に関しては、好ましくは８５０mm以下、より好ましくは８００mm以下、さらに好ましくは７５０mm以下が望ましい。
【００４９】
同様に、フェース２において、全ての補助溝９の長さの総和である補助溝合計長さＬｈも、特に限定されないが、小さすぎると、ボールのカバーの歪を分散する効果が十分に得られないおそれがある。逆に、補助溝合計長さＬｈが大きくなると、配置デザイン等が難しくなり生産性が悪化するおそれがある。このような観点より、前記補助溝合計長さＬｈは、好ましくは２０００mm以上、より好ましくは２５００mm以上、さらに好ましくは３０００mm以上が望ましく、また上限に関しては、好ましくは１００００mm以下、より好ましくは９５００mm以下、さらに好ましくは９０００mm以下が望ましい。
【００５０】
前記フェース溝８及び補助溝９は、いずれも各溝の反転形状からなる突起を含む金型をフェース２に押圧するプレス加工又は旋盤等を用いた切削加工等によって形成できるが、生産性の観点より、プレス加工が望ましい。また、プレス加工にて前記各溝８及び９を形成する場合、一度のプレスにて両方の溝８及び９を加工する方法、及び各溝８及び９それぞれ別工程でプレス加工を行う方法が採用できる。前者の方法では、より生産性を向上しうる点で好ましい。
【００５１】
他方、後者の場合、先に補助溝９を形成した後、フェース溝８を形成する方法と、先にフェース溝８を形成した後、補助溝９を形成する方法とがある。フェース溝８を先に形成しかつその後に補助溝９を形成する場合、補助溝９のプレス加工によって塑性変形した一部がフェース溝８の溝内にはみ出すおそれがあるので、好ましくは深さが小さい補助溝９を先に形成し、その後に深さが大きいフェース溝８を形成するのが望ましい。
【００５２】
また、上記実施形態では、同心円状に配された円弧状の補助溝９が示されたが、補助溝９は、図５に示されるように、例えばトウ・ヒール方向に沿って直線状でのびるものや、図６に示されるように、トウ・ヒール方向に対して傾斜して直線状でのびるものでも良い。図６のように、補助溝９を直線状で形成しかつトウ・ヒール方向に対して傾斜させる場合、フェース溝８と補助溝９との交わり角度θが大きすぎると、補助溝９によるボールのバックスピン量を低減させる効果が低下するおそれがあるので、好ましくは４５度以下、より好ましくは３０度以下、さらに好ましくは２０度以下が望ましい。
【００５３】
また、図６の実施形態において、補助溝９は、フェース２のトウ側領域においてトウ側に向かって上方に傾く左上がりの補助溝９Ａと、フェース２のヒール側領域においてヒール側に向かって上方に傾く右上がりの補助溝９Ｂが設けられる。このようなクラブヘッド１では、図１の実施形態と同様、トウダウン時のトウ側打撃において、またヒールダウン時のヒール側打撃において補助溝９を水平方向に近づけることができるので、ミスショット時でもボールへの摩擦力の伝達を損ねることがない点で好ましい。
【００５４】
また、図１の実施形態では、円弧からなる補助溝９の中心Ｏは、トップ面３よりも上側（ヘッドの外側）に位置しているが、図７に示されるように、円弧からなる補助溝９の中心Ｏをフェース２内に設けることもできる。
【００５５】
以上本発明の実施形態について説明したが、本発明は図示した具体的な実施形態に限定されるものではなく種々変形して実施しうるのは言うまでもない。
【実施例】
【００５６】
表１に示す仕様に基づいてアイアン型ゴルフクラブヘッドが試作され、それらについて飛距離及びそのバラツキがテストされた。また、いずれも晴天時と雨天時の双方のコンディションでテストが行われた。また各クラブヘッドは、軟鉄（Ｓ２５Ｃ）の鍛造により形成され、その後、先ずプレス加工にて補助溝を形成し、しかる後、フェース溝がプレス加工により形成された。テスト方法は、次の通りである。
【００５７】
＜打球の飛距離＞
各クラブヘッドにスチールシャフト（トゥルーテンパー社製のダイナミックゴールドＳ２００）を装着してアイアン型のゴルフクラブを試作し、５名のゴルファが各ゴルフクラブでそれぞれ３ピースゴルフボール（ＳＲＩスポーツ社製の「ＳＲＩＸＯＮ」（登録商標）Ｚ−ＵＲ）を５球づつ打撃した。そして、打球の飛距離の平均値で評価した。数値が大きいほど良好である。
【００５８】
＜飛距離のバラツキ＞
上記テストの結果から、各ゴルファ及び各クラブ毎に、最大飛距離と最小飛距離の差を計算し、５名の平均値を示した。数値が小さいほど、飛距離のバラツキが小さく良好である。テストの結果等は表１に示される。
【００５９】
【表１】
2008005994.tif 000003
【００６０】
テストの結果、実施例のクラブヘッドでは、飛距離が増大していることが確認できる。中でも、補助溝を円弧状とした実施例については、顕著な効果を発揮していることが確認できた。なお、ロフト角が３７度よりも大きい比較例については、飛距離の優位性は小さいことも確認できた。
【図面の簡単な説明】
【００６１】
【図１】本発明の実施形態を示すゴルフクラブヘッドの正面図である。
【図２】その断面図である。
【図３】フェース部の拡大断面図である。
【図４】（Ａ）〜（Ｃ）は、フェース溝の拡大断面図である。
【図５】本発明の他の実施形態を示すゴルフクラブヘッドの正面図である。
【図６】本発明の他の実施形態を示すゴルフクラブヘッドの正面図である。
【図７】本発明の他の実施形態を示すゴルフクラブヘッドの正面図である。
【図８】（ａ）〜（ｄ）はボールとフェースとのインパクトの状態を時系列的に示す断面図である。
【符号の説明】
【００６２】
１  ゴルフクラブヘッド
２  フェース
８  フェース溝
９  補助溝
ＦＣ  フェース中心位置
【図１】
2008005994.tif 000004
【図２】
2008005994.tif 000005
【図３】
2008005994.tif 000006
【図４】
2008005994.tif 000007
【図５】
2008005994.tif 000008
【図６】
2008005994.tif 000009
【図７】
2008005994.tif 000010
【図８】
2008005994.tif 000011
【手続補正書】
【提出日】平成18年8月28日(2006.8.28)
【手続補正１】
【補正対象書類名】明細書
【補正対象項目名】００５９
【補正方法】変更
【補正の内容】
【００５９】
【表１】
2008005994.tif 000012